【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
判別条件の成立に基づいて、判別を実行する判別手段と、
その判別手段の判別結果を示すための第１の識別情報を表示可能な表示手段と、
その表示手段において前記第１の識別情報を動的表示させてから前記判別手段の判別結果を示すための前記第１の識別情報を表示させることが可能な動的表示手段と、
前記表示手段に、特定の判別結果に対応する前記第１の識別情報が表示されたことに基づいて、遊技者に有利となる特典遊技を実行する特典遊技実行手段と、を有した遊技機において、
前記特典遊技が終了した後の遊技状態として、第１遊技状態と、その第１遊技状態よりも遊技者に有利な第２遊技状態と、を少なくとも含む複数の中から１の遊技状態を設定する遊技状態設定手段と、
所定の示唆を行うための第２の識別情報を少なくとも表示可能な複数の表示領域と、
その複数の表示領域のうち一部の表示領域において前記第２の識別情報を動的表示させてから、一部の表示領域に対して予め定められた特定の識別情報を表示させることで前記特定の判別結果となったことを示唆し、前記複数の表示領域に対して予め定められた特定の組み合わせの前記第２の識別情報を表示させることで前記第２遊技状態の設定を示唆することが可能な表示制御手段と、を備え、
前記表示制御手段は、前記特定の判別結果に対応する前記第１の識別情報が動的表示される期間のうちの少なくとも一部である第１期間の開始に基づいて前記第２の識別情報の動的表示を開始させ、前記特典遊技実行手段により前記特典遊技が実行される期間のうちの少なくとも一部であり、前記第１期間に連続する第２期間において、前記複数の表示領域に前記第２の識別情報が表示された状態となるように表示制御可能であり、
前記遊技機は、
前記複数の表示領域とは少なくとも異なる所定位置において前記特定の判別結果となったことを示すための所定演出を実行可能な構成であり、
前記複数の表示領域のうち所定の表示領域を用いて、前記第２の識別情報の動的表示とは少なくとも異なる所定の報知を行うことが可能な構成であることを特徴とする遊技機。
【請求項２】
所定の遊技媒体を用いて遊技可能であることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、当たりに当選した場合に、当たり終了後に有利度合いが高い遊技状態へと移行可能に構成されているものがある。
【手続補正３】
【補正対象書類名】明細書
【補正対象項目名】０００５
【補正方法】変更
【補正の内容】
【０００５】
しかしながら、更なる興趣向上が求められていた。
【手続補正４】
【補正対象書類名】明細書
【補正対象項目名】０００６
【補正方法】変更
【補正の内容】
【０００６】
本発明は、上記例示した問題点等を解決するためになされたものであり、遊技者の遊技に対する興趣を向上できる遊技機を提供することを目的とする。
【手続補正５】
【補正対象書類名】明細書
【補正対象項目名】０００８
【補正方法】変更
【補正の内容】
【０００８】
この目的を達成するために請求項１記載の遊技機は、判別条件の成立に基づいて、判別を実行する判別手段と、その判別手段の判別結果を示すための第１の識別情報を表示可能な表示手段と、その表示手段において前記第１の識別情報を動的表示させてから前記判別手段の判別結果を示すための前記第１の識別情報を表示させることが可能な動的表示手段と、前記表示手段に、特定の判別結果に対応する前記第１の識別情報が表示されたことに基づいて、遊技者に有利となる特典遊技を実行する特典遊技実行手段と、を有するものであり、前記特典遊技が終了した後の遊技状態として、第１遊技状態と、その第１遊技状態よりも遊技者に有利な第２遊技状態と、を少なくとも含む複数の中から１の遊技状態を設定する遊技状態設定手段と、所定の示唆を行うための第２の識別情報を少なくとも表示可能な複数の表示領域と、その複数の表示領域のうち一部の表示領域において前記第２の識別情報を動的表示させてから、一部の表示領域に対して予め定められた特定の識別情報を表示させることで前記特定の判別結果となったことを示唆し、前記複数の表示領域に対して予め定められた特定の組み合わせの前記第２の識別情報を表示させることで前記第２遊技状態の設定を示唆することが可能な表示制御手段と、を備え、前記表示制御手段は、前記特定の判別結果に対応する前記第１の識別情報が動的表示される期間のうちの少なくとも一部である第１期間の開始に基づいて前記第２の識別情報の動的表示を開始させ、前記特典遊技実行手段により前記特典遊技が実行される期間のうちの少なくとも一部であり、前記第１期間に連続する第２期間において、前記複数の表示領域に前記第２の識別情報が表示された状態となるように表示制御可能であり、前記遊技機は、前記複数の表示領域とは少なくとも異なる所定位置において前記特定の判別結果となったことを示すための所定演出を実行可能な構成であり、前記複数の表示領域のうち所定の表示領域を用いて、前記第２の識別情報の動的表示とは少なくとも異なる所定の報知を行うことが可能な構成である。
【手続補正６】
【補正対象書類名】明細書
【補正対象項目名】０００９
【補正方法】変更
【補正の内容】
【０００９】
請求項２記載の遊技機は、請求項１記載の遊技機において、所定の遊技媒体を用いて遊技可能である。
【手続補正７】
【補正対象書類名】明細書
【補正対象項目名】００１１
【補正方法】変更
【補正の内容】
【００１１】
本発明の遊技機によれば、判別条件の成立に基づいて、判別を実行する判別手段と、その判別手段の判別結果を示すための第１の識別情報を表示可能な表示手段と、その表示手段において前記第１の識別情報を動的表示させてから前記判別手段の判別結果を示すための前記第１の識別情報を表示させることが可能な動的表示手段と、前記表示手段に、特定の判別結果に対応する前記第１の識別情報が表示されたことに基づいて、遊技者に有利となる特典遊技を実行する特典遊技実行手段と、を有するものであり、前記特典遊技が終了した後の遊技状態として、第１遊技状態と、その第１遊技状態よりも遊技者に有利な第２遊技状態と、を少なくとも含む複数の中から１の遊技状態を設定する遊技状態設定手段と、所定の示唆を行うための第２の識別情報を少なくとも表示可能な複数の表示領域と、その複数の表示領域のうち一部の表示領域において前記第２の識別情報を動的表示させてから、一部の表示領域に対して予め定められた特定の識別情報を表示させることで前記特定の判別結果となったことを示唆し、前記複数の表示領域に対して予め定められた特定の組み合わせの前記第２の識別情報を表示させることで前記第２遊技状態の設定を示唆することが可能な表示制御手段と、を備え、前記表示制御手段は、前記特定の判別結果に対応する前記第１の識別情報が動的表示される期間のうちの少なくとも一部である第１期間の開始に基づいて前記第２の識別情報の動的表示を開始させ、前記特典遊技実行手段により前記特典遊技が実行される期間のうちの少なくとも一部であり、前記第１期間に連続する第２期間において、前記複数の表示領域に前記第２の識別情報が表示された状態となるように表示制御可能であり、前記遊技機は、前記複数の表示領域とは少なくとも異なる所定位置において前記特定の判別結果となったことを示すための所定演出を実行可能な構成であり、前記複数の表示領域のうち所定の表示領域を用いて、前記第２の識別情報の動的表示とは少なくとも異なる所定の報知を行うことが可能な構成である。
【手続補正８】
【補正対象書類名】明細書
【補正対象項目名】００１２
【補正方法】変更
【補正の内容】
【００１２】
これにより、遊技者の遊技に対する興趣を向上できるという効果がある。